(57)【要約】【課題】ソファー形状の段ボール製椅子の強度を向上させ、座り心地を改善する。【解決手段】腰掛部３と背凭れ部４とを有する段ボール構造体１から成る椅子において、一対の側面材１１と、複数の縦支持材１２及び横架材１３とを構成部材とし、前記側面材１１の周囲各部に折曲片１５を設け、前記縦支持材１２を並列に起立させ、前記横架材１３を折り曲げて縦支持材１２に掛け渡し、縦支持材１２と横架材１３の端縁に形成した切込同士を噛み合わせて骨組み５を形成し、この骨組み５の両側に前記一対の側面材１１を沿わせ、折曲片１５を巻き込むように折り曲げて、折曲片１５の先端側の差片部１５ａを横架材１３の側端寄りに形成したスリット１９に差し込み、一対の側面材１１で骨組み５を抱き込む構成とする。全体的に箱状に閉じられた堅固な構造となり、一対の側面材１１の折曲片１５により、カバー２との間に介在するクッション材６のずれも防止できる。【選択図】図１
2014239709.tif 000002
【特許請求の範囲】
【請求項１】
腰掛部(3)と背凭れ部(4)とを有する段ボール構造体(1)から成る椅子において、一対の側面材(11)と、複数の縦支持材(12)及び横架材(13)とを構成部材とし、前記側面材(11)の周囲各部に折曲片(15)を設け、前記縦支持材(12)を並列に起立させ、前記横架材(13)を折り曲げて縦支持材(12)に掛け渡し、縦支持材(12)と横架材(13)の端縁に形成した切込同士を噛み合わせて骨組み(5)を形成し、この骨組み(5)の両側に前記一対の側面材(11)を沿わせ、折曲片(15)を巻き込むように折り曲げて、折曲片(15)の先端側の差片部(15a)を横架材(13)の側端寄りに形成したスリット(19)に差し込み、一対の側面材(11)で骨組み(5)を抱き込む構成としたことを特徴とする段ボール製椅子。
【請求項２】
請求項１に記載の段ボール製椅子において、前記段ボール構造体(1)の腰掛部(3)の着座部分では、横架材(13)を複数枚重ねて縦支持材(12)に掛け渡し、これらの横架材(13)を縦支持材(12)に噛み合わせたことを特徴とする段ボール製椅子。
【請求項３】
請求項１又は２に記載の段ボール製椅子において、前記段ボール構造体(1)の腰掛部(3)と背凭れ部(4)の湾曲部分では、側面材(11)の折曲片(15)に側方へ延びる耳片部(15b)を設け、折曲片(15)同士の隣接部で、一方の折曲片(15)の耳片部(15b)に他方の折曲片(15)を重ねるようにしたことを特徴とする段ボール製椅子。
【請求項４】
請求項１乃至３のいずれかに記載の段ボール製椅子において、前記段ボール構造体(1)にカバー(2)を被せ、段ボール構造体(1)の腰掛部(3)及び背凭れ部(4)とカバー(2)との間に複数枚のクッション材(6)を重ねて介在させ、対向する側面材(11)の折曲片(15)に挟まれた部分に下層のクッション材(6)を嵌め込んだことを特徴とする段ボール製椅子。
【請求項５】
請求項４に記載の段ボール製椅子において、前記カバー(2)を防炎布製としたことを特徴とする段ボール製椅子。
【発明の詳細な説明】
【技術分野】
【０００１】
この発明は、段ボールを構造材料とするソファー形状の椅子に関するものである。
【背景技術】
【０００２】
一般に、ソファー形状の椅子は、木製の枠体に金属製のばねを組み込み、ウレタン等のクッション材をセットして、表皮を張設した構造とされている。このようなソファーは、相当な重量を有するものであり、通常、ロビーやリビングに常設され、会議室等における頻繁な移動を要する用途には、パイプ椅子が使用されることが多い。
【０００３】
ところで、近年、オフィスやイベント会場等において、ソファー形状でありながら軽量で取り扱いやすい椅子が求められ、そのような需要に応えるため、下記特許文献１に記載された図８に示すような段ボール製の椅子を使用することが考えられる。
【０００４】
この椅子は、腰掛部５１と背凭れ部５２とを有し、側面視Ｌ字状とした一対の脚体５３を横に並べ、これに多数の横架材５４を掛け渡した構成とされている。そして、横架材５４をなす表板部５５と差板部５６とをコ字状に折り曲げて、脚体５３と横架材５４の切込同士を噛み合わせることにより、椅子の組立形状が保持されている。
【先行技術文献】
【特許文献】
【０００５】
【特許文献１】実開昭５５−５６１５３号公報
【発明の概要】
【発明が解決しようとする課題】
【０００６】
しかしながら、上記のような段ボール製の椅子では、体重の重い人が片側に寄って座ったり、背凭れ部５２の上部に側方から寄りかかったりして、偏った荷重や捻るような大きな力が作用した場合、脚体５３と横架材５４の噛合部分で段ボールが潰れ、組立形状が崩れるおそれがある。
【０００７】
また、座り心地や見映えをよくするため、クッション材を敷いてカバーを被せた場合、クッション材がずれやすく、良好な座り心地を得ることが難しいという問題がある。
【０００８】
さらに、側面において、横架材５４の側端で段ボールの端縁が露出するため、火災発生時に、段ボールの端縁で開いた中空部分から火炎が段ボールの内部に進入しやすく、一気に炎上する危険性がある。
【０００９】
そこで、この発明は、ソファー形状の段ボール製椅子の強度を向上させると共に、座り心地を改善することを課題とする。
【課題を解決するための手段】
【００１０】
上記課題を解決するため、この発明は、腰掛部と背凭れ部とを有する段ボール構造体から成る椅子において、一対の側面材と、複数の縦支持材及び横架材とを構成部材とし、前記側面材の周囲各部に折曲片を設け、前記縦支持材を並列に起立させ、前記横架材を折り曲げて縦支持材に掛け渡し、縦支持材と横架材の端縁に形成した切込同士を噛み合わせて骨組みを形成し、この骨組みの両側に前記一対の側面材を沿わせ、折曲片を巻き込むように折り曲げて、折曲片の先端側の差片部を横架材の側端寄りに形成したスリットに差し込み、一対の側面材で骨組みを抱き込む構成としたのである。
【００１１】
また、前記段ボール構造体の腰掛部の着座部分では、横架材を複数枚重ねて縦支持材に掛け渡し、これらの横架材を縦支持材に噛み合わせたのである。
【００１２】
さらに、前記段ボール構造体の腰掛部と背凭れ部の湾曲部分では、側面材の折曲片に側方へ延びる耳片部を設け、折曲片同士の隣接部で、一方の折曲片の耳片部に他方の折曲片を重ねるようにしたのである。
【００１３】
また、前記段ボール構造体にカバーを被せ、段ボール構造体の腰掛部及び背凭れ部とカバーとの間に複数枚のクッション材を重ねて介在させ、対向する側面材の折曲片に挟まれた部分に下層のクッション材を嵌め込み、前記カバーを防炎布製としたのである。
【発明の効果】
【００１４】
この発明に係る段ボール製椅子では、縦支持材と横架材の切込同士を噛み合わせて形成した骨組みを、一対の側面材で抱き込む構成としたことから、全体的に箱状に閉じられた堅固な構造となって、軽量でありながら、偏った荷重等への耐力が向上し、安定した状態で使用できるようになる。
【００１５】
また、腰掛部の着座部分で複数枚の横架材を重ねることにより、耐荷重性をさらに向上させ、腰掛部と背凭れ部の湾曲部分において、折曲片同士の隣接部で、一方の折曲片の耳片部に他方の折曲片を重ねると、折曲片の浮き上がりが防止され、保形性が向上する。
【００１６】
また、段ボール構造体の腰掛部及び背凭れ部とカバーとの間に複数枚のクッション材を重ねて介在させることにより、柔らかい座り心地を得ることができ、対向する側面材の折曲片に挟まれた部分に下層のクッション材が嵌まり込むようにして、クッション材の横方向へのずれも防止することができる。
【００１７】
また、段ボール構造体は、側面に段ボールの端縁が露出しない構造となるので、火災発生時に、段ボール内への火炎の進入を防止でき、カバーを防炎布製とすることにより、炎上の危険性を極力低減し、防炎性を確保することができる。
【図面の簡単な説明】
【００１８】
【図１】この発明に係る段ボール製椅子の組立状態を示す斜視図
【図２】図１のII−II線に沿った断面図
【図３】同上の縦支持材と横架材の噛合過程を示す斜視図
【図４】同上の側面材の組付過程を示す斜視図
【図５】同上のカバーによる被覆過程を示す後面側からの斜視図
【図６】同上の側面材及び縦支持材のブランクを示す図
【図７】同上の横架材のブランクを示す図
【図８】従来の段ボール製椅子の組立状態を示す斜視図
【発明を実施するための形態】
【００１９】
以下、この発明の実施形態を添付図面に基づいて説明する。
【００２０】
図１に示すように、この段ボール製椅子は、段ボールのブランクから組み立てられる段ボール構造体１に防炎布製のカバー２を被せたものであり、腰掛部３と背凭れ部４とを有するソファー形状とされている。
【００２１】
段ボール構造体１は、左右対称である一対の側面材１１と、複数の縦支持材１２及び横架材１３とを構成部材とするものである。
【００２２】
図６に示すように、側面材１１は、Ａフルートの両面段ボールから成り、椅子の側面形状に相当するＬ字状の側板部１４の周囲各部に折目線を介して折曲片１５を連設し、折曲片１５の先端側に折目線を介して差片部１５ａを設けたものとされている。段ボールの中芯の段頂が延びる方向である段目は、上下方向へ向けられている。
【００２３】
側面材１１において、腰掛部３の前部及び背凭れ部４の上部の湾曲部分に位置する折曲片１５は、側板部１４から放射状に延びる小片とされ、これらの折曲片１５の差片部１５ａより基部側の側辺には、隣り合う折曲片１５へ向けて延びる三角状の耳片部１５ｂが折目線を介して設けられている。
【００２４】
また、背凭れ部４の後辺から延びる折曲片１５の上辺には、折込片１６が連設され、折曲片１５の耳片部１５ｂ及び折込片１６には、隣接する折曲片１５を重ねた状態での積層厚を抑制するため、段ボールの中芯を厚さ方向に押し潰す段潰し加工が施されている。
【００２５】
縦支持材１２は、着座者の体重を直接的に支持するため、段目を上下方向へ向けたＡＢフルートの複両面段ボールから成り、側面材１１の側板部１４と同様、椅子の側面形状に相当するＬ字状とされている。この実施形態では、６枚の縦支持材１２が使用される。
【００２６】
この縦支持材１２の周囲には、腰掛部３の前部から底部及び背凭れ部４の上部から前面部及び後面部にかけて、Ａフルートの段ボール２枚を重ねた厚さに対応する幅の切込１７ａが多数設けられている。
【００２７】
また、腰掛部３の上面部に、Ａフルートの段ボール２枚とＡＢフルートの段ボール１枚とを重ねた厚さに対応する幅の切込１７ｂが前後に間隔をあけて設けられ、その中間において、Ａフルートの段ボール２枚とＡＢフルートの段ボール２枚とを重ねた厚さに対応する幅の切込１７ｃが設けられている。
【００２８】
図７に示すように、横架材１３は、横架材１３−１〜横架材１３−９を総称するものであって、これらは表板部１３ａの両側に差板部１３ｂを連設したものとされ、段目はその連設方向へ向けられている。横架材１３−１〜横架材１３−８は、Ａフルートの両面段ボールから成り、横架材１３−９は、ＡＢフルートの複両面段ボールから成る。
【００２９】
差板部１３ｂの端縁には、縦支持材１２の枚数に対応して、各６個の切込１８が形成され、切込１８は、ＡＢフルートの段ボール１枚の厚さに対応する幅とされている。切込１８の入口側は、縦支持材１２への差込性を考慮して、斜めに切断されている。
【００３０】
また、横架材１３には、横架材１３−２を除き、両方の側端寄りにスリット１９が形成されている。スリット１９は、横架材１３−４を除き、表板部１３ａからこれを挟む両方の差板部１３ｂに及び、横架材１３−４では、表板部１３ａから一方の差板部１３ｂにのみ及んでいる。
【００３１】
そして、スリット１９は、横架材１３−９を除き、Ａフルートの段ボール１枚の厚さに対応する幅とされ、横架材１３−９では、横架材１３−３と重ねたとき、位置が多少ずれても折曲片１５の差片部１５ａを容易に差し込めるように、Ａフルートの段ボール１枚の厚さより大きい幅とされている。
【００３２】
さらに、横架材１３−５〜横架材１３−８には、表板部１３ａの中間に折目線１３ｃが入れられている。折目線１３ｃは、他の折目線と同様、段ボールを裏面側から線状に押圧した押罫線とされている。
【００３３】
このようなブランクから図１に示すような椅子を組み立てるには、まず、図３に示すように、６枚の縦支持材１２を並列に起立させ、横架材１３−１〜横架材１３−９を、それぞれ表板部１３ａから差板部１３ｂをコ字状に折り曲げて縦支持材１２に掛け渡し、縦支持材１２の切込１７ａ，１７ｂ，１７ｃと横架材１３−１〜横架材１３−９の切込１８とを噛み合わせて、骨組み５を形成する。
【００３４】
このとき、腰掛部３の前下部及び後下部、並びに背凭れ部４の上後部及び上前部において、それぞれ縦支持材１２に掛け渡す横架材１３−５〜横架材１３−８は、稜部を形成するため、表板部１３ａを中間に折目線１３ｃに沿って屈曲させる。また、腰掛部３の上面部では、横架材１３−９と横架材１３−３とを重ね合わせて縦支持材１２に掛け渡す。
【００３５】
次に、図４に示すように、骨組み５の両側に一対の側面材１１を沿わせ、折曲片１５を巻き込むように折り曲げて、折曲片１５の差片部１５ａを横架材１３のスリット１９に差し込み、一対の側面材１１で骨組み５を抱き込んで、段ボール構造体１を構成する。
【００３６】
このとき、腰掛部３の前部と背凭れ部４の上部における湾曲部分では、側面材１１の折曲片１５同士の隣接部で、一方の折曲片１５の耳片部１５ｂに他方の折曲片１５を重ねることにより、折曲片１５の浮き上がりを防止する。また、背凭れ部４の最上部では、折込片１６を前方へ折り曲げて、折曲片１５で押さえ込む。
【００３７】
その後、図５に示すように、段ボール構造体１にカバー２を被せる。カバー２は、段ボール構造体１の腰掛部３及び背凭れ部４の着座面を覆う主カバー部２１と、側面を覆う側カバー部２２と、底面を覆う底カバー部２３と、後面を覆う後カバー部２４とを縫製により一体化し、後カバー部２４に重合片２５を連設したものである。
【００３８】
また、側カバー部２２の後辺と後カバー部２４の両側辺には、スライドファスナー２６が設けられ、後カバー部２４の下部裏面と重合片２５の表面には、面ファスナー２７が設けられている。
【００３９】
このカバー２を段ボール構造体１に被せる際には、スライドファスナー２６のスライダーを上げて、後カバー部２４を捲った状態としておき、カバー２の後面の開口部から段ボール構造体１をカバー２の内部へ挿入する。
【００４０】
そして、段ボール構造体１の後面に沿って重合片２５を上方へ折り曲げ、後カバー部２４を戻し、後カバー部２４の下部と重合片２５とを面ファスナー２７で固着すると共に、スライドファスナー２６のスライダーを下げて、カバー２の後面を閉じる。
【００４１】
ここで、上記カバー２には、主カバー部２１の裏側に、ウレタン製のクッション材６が２枚重ねて取り付けられ、カバー２を段ボール構造体１に被せると、段ボール構造体１とカバー２との間にクッション材６が介在した状態となる。
【００４２】
この状態において、図２に示すように、上層のクッション材６よりも下層のクッション材６の幅が狭く、下層のクッション材６は、対向する側面材１１の折曲片１５に挟まれた部分に嵌まり込み、上層のクッション材６は、折曲片１５まで覆うようになっている。
【００４３】
上記のような段ボール製椅子では、縦支持材１２と横架材１３の切込同士を噛み合わせて形成した骨組み５を、一対の側面材１１で抱き込む構成としたことから、全体的に箱状に閉じられた堅固な構造となって、軽量でありながら、偏った荷重等への耐力が向上し、安定した状態で使用できるようになる。
【００４４】
また、腰掛部３の着座部分で２枚の横架材１３を重ねているので、耐荷重性が向上し、体重の重い人が着座した場合における腰掛部３の凹みや組立形状の崩れを防止できる。
【００４５】
さらに、腰掛部３の前部と背凭れ部４の上部の湾曲部分において、折曲片１５同士の隣接部で、一方の折曲片１５の耳片部１５ｂを他方の折曲片１５により押さえ込み、折曲片１５の浮き上がりを防止していることから、保形性が向上する。
【００４６】
また、段ボール構造体１の腰掛部３及び背凭れ部４の着座面とカバー２との間に複数枚のクッション材６を重ねて介在させたので、柔らかい座り心地を得ることができ、対向する側面材１１の折曲片１５に挟まれた部分に下層のクッション材６が嵌まり込むようにしたので、クッション材６の横方向へのずれも防止することができる。
【００４７】
また、段ボール構造体１は、側面に段ボールの端縁が露出しない構造となるので、火災発生時に、段ボールの内部への火炎の進入を防止でき、これに加えて、防炎布製のカバー２で段ボール構造体１を全表面に亘って覆うようにしたことから、炎上の危険性を極力低減し、防炎性を確保することができる。
【００４８】
なお、上記実施形態では、縦支持材１２を６枚並べたものを例示したが、縦支持材１２の数は、特に限定されるものではなく、より多数の縦支持材１２を並列させて、２人掛けや３人掛けの幅の広いソファー形状の椅子を構成することもできる。
【００４９】
また、背凭れ部４の後面が下端から上端へかけて平坦面となったものを例示したが、さらにソファーらしさを高めるため、背凭れ部４の後面上部が後方へ湾曲して張り出すようにしてもよい。
【符号の説明】
【００５０】
１  段ボール構造体
２  カバー
３  腰掛部
４  背凭れ部
５  骨組み
６  クッション材
１１  側面材
１２  縦支持材
１３（１３−１〜１３−９）  横架材
１３ａ  表板部
１３ｂ  差板部
１３ｃ  折目線
１４  側板部
１５  折曲片
１５ａ  差片部
１５ｂ  耳片部
１６  折込片
１７ａ，１７ｂ，１７ｃ  切込
１８  切込
１９  スリット
２１  主カバー部
２２  側カバー部
２３  底カバー部
２４  後カバー部
２５  重合片
２６  スライドファスナー
２７  面ファスナー
【図１】
2014239709.tif 000003
【図２】
2014239709.tif 000004
【図３】
2014239709.tif 000005
【図４】
2014239709.tif 000006
【図５】
2014239709.tif 000007
【図６】
2014239709.tif 000008
【図７】
2014239709.tif 000009
【図８】
2014239709.tif 000010
【手続補正書】
【提出日】平成25年6月11日(2013.6.11)
【手続補正１】
【補正対象書類名】図面
【補正対象項目名】図６
【補正方法】変更
【補正の内容】
【図６】
2014239709.tif 000011